(57)【要約】【課題】簡単な構成により、複数の光源に対して、モアレ等が発生することなく、より均一な面発光を得ることができるようにした面光源装置と、この面光源装置に使用される導光部材を提供する。【解決手段】扁平な導光部材１１の一側の端面に沿って分散配置された複数個の光源１３を含み、上記導光部材の光出射面または反対側の面に、多数の拡散ドット１４が、導光部材の一側から他側に向かって密度が高くなるようにランダムに分散配置されており、各光源からの光が導光部材の一側の端面から入射し、上記拡散ドットにより拡散されて、光出射面から出射して、被照明物を均一に照明する、面光源装置であって、上記各拡散ドット１４が、個々の光源１３ａ，１３ｂ，１３ｃに向かう仮想線に対して実質的に垂直な方向に延び、互いに光学特性に影響を与えない部分１４ａ，１４ｂ，１４ｃを有するように、構成する。【選択図】        図１
2004363059.tif 000002
【特許請求の範囲】
【請求項１】
扁平な透光性材料から成る導光部材と、この導光部材の一側の端面に沿って分散配置された複数個の光源と、を含んでおり、上記導光部材が、上方または下方の光出射面または反対側の面に分散配置された多数の拡散ドットを備えていて、
上記拡散ドットが、導光部材の一側から他側に向かって密度が高くなるようにランダムに配置されており、
各光源からの光が導光部材の一側の端面から入射し、上記拡散ドットにより拡散されて、光出射面から出射して、被照明物を均一に照明する、面光源装置であって、
上記各拡散ドットが、個々の光源に向かってそれぞれ延びる線に対して実質的に垂直な方向に延び、互いに光学特性に影響を与えないように形成された部分を有していることを特徴とする、面光源装置。
【請求項２】
上記光源が、少なくとも導光部材の一側の二箇所の角部に配置されていることを特徴とする、請求項１に記載の面光源装置。
【請求項３】
上記拡散ドットの各部分が、比較的大きな曲率半径を備えた湾曲形状を有していることを特徴とする、請求項１または２に記載の面光源装置。
【請求項４】
上記拡散ドットの各部分が、互いに連続的に接続されていることを特徴とする、請求項１から３の何れかに記載の面光源装置。
【請求項５】
上記拡散ドットの各部分が、互いに分離されていることを特徴とする、請求項１から３の何れかに記載の面光源装置。
【請求項６】
上記拡散ドットの各部分が、互いに一部が重なって配置されていることを特徴とする、請求項１から３の何れかに記載の面光源装置。
【請求項７】
上記拡散ドットの各部分が、連続するスプライン曲線から形成されていることを特徴とする、請求項１から３の何れかに記載の面光源装置。
【請求項８】
扁平な透光性材料から成り、上方または下方の光出射面または反対側の面に分散配置された多数の拡散ドットを備えており、上記拡散ドットが、その一側から他側に向かって密度が高くなるようにランダムに配置されており、その一側の端面に沿って分散配置された複数個の光源からの光が当該端面から入射することにより、上記拡散ドットにより拡散されて、光出射面から出射して、被照明物を均一に照明するような面光源装置のための導光部材であって、
上記各拡散ドットが、個々の光源に向かってそれぞれ延びる線に対して実質的に垂直な方向に延び、互いに光学特性に影響を与えないように形成された部分を有していることを特徴とする、面光源装置のための導光部材。
【請求項９】
上記拡散ドットの各部分が、比較的大きな曲率半径を備えた湾曲形状を有していることを特徴とする、請求項８に記載の面光源装置のための導光部材。
【請求項１０】
上記拡散ドットの各部分が、互いに連続的に接続されていることを特徴とする、請求項８または９に記載の面光源装置のための導光部材。
【請求項１１】
上記拡散ドットの各部分が、互いに分離されていることを特徴とする、請求項８または９に記載の面光源装置のための導光部材。
【請求項１２】
上記拡散ドットの各部分が、互いに一部が重なって配置されていることを特徴とする、請求項８または９に記載の面光源装置のための導光部材。
【請求項１３】
上記拡散ドットの各部分が、連続するスプライン曲線から形成されていることを特徴とする、請求項８または９に記載の面光源装置のための導光部材。
【発明の詳細な説明】
【０００１】
【発明の属する技術分野】
本発明は、例えば液晶表示装置等を前面または背面から照明するためのフロントライト装置やバックライト装置として使用される面光源装置と、これに使用される導光部材に関するものである。
【０００２】
【従来の技術】
従来、このような面光源装置は、例えば図８に示すように構成されている。
図８において、面光源装置１は、導光部材２と、反射部材３と、光源４と、から構成されている。
【０００３】
上記導光部材２は、透光性材料により構成されており、所定の厚さを有する扁平な直方体状に形成されている。
【０００４】
上記反射部材３は、上記導光部材２の下面全体に対向して配置されており、その上面が反射面として構成されている。
これにより、導光部材２の下面から下方に出射した光が反射部材３に入射すると、反射部材３により反射され、再び導光部材２の下面から導光部材２内に入射するようになっている。
【０００５】
上記光源４は、例えばＬＥＤ等の点光源または冷陰極管等の長尺の発光部を備えるように構成されており、上記導光部材２の一側の端面２ａに沿って対向するように配置されている。
【０００６】
このような構成の面光源装置１によれば、光源４から出射した光のうち、一部が直接に導光部材２の一側の端面２ａから導光部材２内に入射する。
そして、導光部材２内に入射した光は、その一部が直接に上面２ｂから上方に出射し、また他の一部が導光部材２の下面から出射し、反射部材３により反射された後、再び導光部材２内に入射して、上面２ｂから上方に出射する。
このようにして導光部材２の上面から出射した光は、導光部材２の上方に配置された被照明物（図示せず）を照射する。これにより、被照明物の表面全体がほぼ均一な明るさでバック照明されることになる。
【０００７】
さらに、このような面光源装置１においては、導光部材２の上面２ｂから上方に出射する光を全面に亘ってほぼ均一にするために、導光部材２の上面または下面（図示の場合、下面）に、円形の拡散ドット２ｃが例えば印刷，エッチング等により形成されている。
ここで、上記拡散ドット２ｃは、導光部材２の光源側の端面２ａから反対側の端面に向かって、徐々に密度が高くなるように、ランダムに配置されている。
そして、この拡散ドット２ｃに光が入射すると、光が拡散して透過または反射することにより、導光部材２の上面から上方に出射する光が均一な明るさとなるように構成されている。
しかしながら、このような円形の拡散ドット２ｃを備えた面光源装置１の場合、各拡散ドット２ｃが円形に形成されていることにより、光源４に対する指向性は生じないものの、光源４からの光を拡散するために最適ではなく、面光源に輝度ムラが生じてしまう。
【０００８】
これに対して、より一層均一な面発光を得るために、特許文献１〜３による面光源装置が開示されている。
特許文献１による面光源装置によれば、導光部材に入射する光の指向性分布の輝度バラツキを改善して、均一な面発光を得るために、導光部材の入射光の指向性分布が高過ぎる角度位置に、光を取り出すためのパターンを設けて、当該角度方向の光を外部に導くことにより、指向性分布をより均一にするようにしている。
【０００９】
また、特許文献２による面光源装置によれば、光源からの光をより良好に拡散させるために、光源を中心とした扇形状に拡散ドットを配置すると共に、光源から各拡散ドットを見込む角度を、光源から遠い程大きくなるようにしている。
【００１０】
さらに、特許文献３による面光源装置によれば、光源からの光をより良好に拡散させるために、拡散ドットの方向を、光源に対してほぼ垂直な方向に整合させるようにしている。
【００１１】
【特許文献１】
特開平１１−２６０１３９号
【特許文献２】
特開平１１−２５０７１４号
【特許文献３】
国際公開ＷＯ９８／１９１０５号
【００１２】
【発明が解決しようとする課題】
しかしながら、これらの特許文献１〜３による面光源装置においては、光源を一つの点光源として構成されており、拡散ドットも一つの光源に対応して形成され、配置されている。このため、二つ以上の光源がある場合には、対応することができない。
また、特許文献２及び３による面光源装置においては、拡散ドットが光源を中心とする円周上に配置されていることから、拡散ドットの配置に周期性が生ずることが不可避であり、これによってモアレが発生する等の問題がある。
【００１３】
本発明は、以上の点から、簡単な構成により、複数の光源に対して、モアレ等が発生することなく、より均一な面発光を得ることができるようにした面光源装置と、この面光源装置に使用される導光部材を提供することを目的としている。
【００１４】
【課題を解決するための手段】
上記目的は、本発明の第一の構成によれば、扁平な透光性材料から成る導光部材と、この導光部材の一側の端面に沿って分散配置された複数個の光源と、を含んでおり、上記導光部材が、上方または下方の光出射面または反対側の面に分散配置された多数の拡散ドットを備えていて、上記拡散ドットが、導光部材の一側から他側に向かって密度が高くなるようにランダムに配置されており、各光源からの光が導光部材の一側の端面から入射し、上記拡散ドットにより拡散されて、光出射面から出射して、被照明物を均一に照明する、面光源装置であって、上記各拡散ドットが、個々の光源に向かってそれぞれ延びる線に対して実質的に垂直な方向に延び、互いに光学特性に影響を与えないように形成された部分を有していることを特徴とする、面光源装置により、達成される。
【００１５】
本発明による面光源装置は、好ましくは、上記光源が、少なくとも導光部材の一側の二箇所の角部に配置されている。
【００１６】
本発明による面光源装置は、好ましくは、上記拡散ドットの各部分が、比較的大きな曲率半径を備えた湾曲形状を有している。
【００１７】
本発明による面光源装置は、好ましくは、上記拡散ドットの各部分が、互いに連続的に接続されている。
【００１８】
本発明による面光源装置は、好ましくは、上記拡散ドットの各部分が、互いに分離されている。
【００１９】
本発明による面光源装置は、好ましくは、上記拡散ドットの各部分が、互いに一部が重なって配置されている。
【００２０】
本発明による面光源装置は、好ましくは、上記拡散ドットの各部分が、連続するスプライン曲線から形成されている。
【００２１】
また、上記目的は、本発明の第二の構成によれば、扁平な透光性材料から成り、上方または下方の光出射面または反対側の面に分散配置された多数の拡散ドットを備えており、上記拡散ドットが、その一側から他側に向かって密度が高くなるようにランダムに配置されており、その一側の端面に沿って分散配置された複数個の光源からの光が当該端面から入射することにより、上記拡散ドットにより拡散されて、光出射面から出射して、被照明物を均一に照明するような面光源装置のための導光部材であって、上記各拡散ドットが、個々の光源に向かってそれぞれ延びる線に対して実質的に垂直な方向に延び、互いに光学特性に影響を与えないように形成された部分を有していることを特徴とする、面光源装置のための導光部材により達成される。
【００２２】
本発明による面光源装置のための導光部材は、好ましくは、上記拡散ドットの各部分が、比較的大きな曲率半径を備えた湾曲形状を有している。
【００２３】
本発明による面光源装置のための導光部材は、好ましくは、上記拡散ドットの各部分が、互いに連続的に接続されている。
【００２４】
本発明による面光源装置のための導光部材は、好ましくは、上記拡散ドットの各部分が、互いに分離されている。
【００２５】
本発明による面光源装置のための導光部材は、好ましくは、上記拡散ドットの各部分が、互いに一部が重なって配置されている。
【００２６】
本発明による面光源装置のための導光部材は、好ましくは、上記拡散ドットの各部分が、連続するスプライン曲線から形成されている。
【００２７】
上記第一の構成によれば、各光源から出射した光が、導光部材の一側の端面から入射して、導光部材の他側に向かって進む。その際、光の一部が直接に光出射面から出射すると共に、他の一部が、導光部材の上面または下面に形成された拡散ドットにより拡散して反射され、導光部材の光出射面から出射して、被照明物を照明する。
【００２８】
この場合、拡散ドットが一側から他側に向かって密度が高くなるように配置されていると共に、各拡散ドットが、それぞれ個々の光源に対して横向きに拡る部分を有していることから、各光源からの光が、それぞれ各拡散ドットに対して効率良く入射し、拡散されることになるので、光の利用効率が向上すると共に、拡散効率が上昇して、光出射面から出射する光がより均一になり、ムラのない面発光が得られることになる。
【００２９】
上記光源が、少なくとも導光部材の一側の二箇所の角部に配置されている場合には、各光源からの光が、導光部材の一側の端面全体から、導光部材内に入射することになるので、入射光の指向性分布がより一層均一になるので、導光部材の光出射面からの出射光の輝度分布もより均一となり、より一層ムラのない面発光が得られる。
【００３０】
上記拡散ドットの各部分が、比較的大きな曲率半径を備えた湾曲形状を有している場合には、上記各部分が、それぞれ対応する光源を中心とする円弧状に形成されることにより、光源からの出射光に対してより多くの領域にて垂直になることから、光源からの光の利用効率，拡散効率がより一層向上することになる。
【００３１】
上記拡散ドットの各部分が、互いに連続的に接続されている場合には、各拡散ドット全体がそれぞれより小型に形成されることになる。
【００３２】
上記拡散ドットの各部分が、互いに分離されている場合には、個々の部分が容易に形成され得ることになる。
【００３３】
上記拡散ドットの各部分が、互いに一部が重なって配置されている場合には、各拡散ドット全体がそれぞれより一層小型に形成されることになる。
【００３４】
上記拡散ドットの各部分が、連続するスプライン曲線から形成されている場合には、各部分の接続部が角部を形成しないので、角部による拡散光の輝度ムラが抑制され得ることになる。
【００３５】
また、上記第二の構成によれば、この導光部材を使用して、その一側の端面に沿って複数個の光源を分散配置することにより、面光源装置を構成すると、上述した第一の構成の場合と同様にして、各光源から出射した光が、導光部材の一側の端面から入射して、導光部材の他側に向かって進む。その際、光の一部が直接に光出射面から出射すると共に、他の一部が、導光部材の上面または下面に形成された拡散ドットにより拡散して反射され、導光部材の光出射面から出射して、被照明物を照明する。
【００３６】
ここで、拡散ドットが一側から他側に向かって密度が高くなるように配置されていると共に、各拡散ドットが、それぞれ個々の光源に対して横向きに拡る部分を有していることから、各光源からの光が、それぞれ各拡散ドットに対して効率良く入射し、拡散されることになるので、光の利用効率が向上すると共に、拡散効率が上昇して、光出射面から出射する光がより均一になり、ムラのない面発光が得られることになる。
【００３７】
上記拡散ドットの各部分が、比較的大きな曲率半径を備えた湾曲形状を有している場合には、上記各部分が、それぞれ対応する光源を中心とする円弧状に形成されることにより、光源からの出射光に対してより多くの領域にて垂直になることから、光源からの光の利用効率，拡散効率がより一層向上することになる。
【００３８】
上記拡散ドットの各部分が、互いに連続的に接続されている場合には、各拡散ドット全体がそれぞれより小型に形成されることになる。
【００３９】
上記拡散ドットの各部分が、互いに分離されている場合には、個々の部分が容易に形成され得ることになる。
【００４０】
上記拡散ドットの各部分が、互いに一部が重なって配置されている場合には、各拡散ドット全体がそれぞれより一層小型に形成されることになる。
【００４１】
上記拡散ドットの各部分が、連続するスプライン曲線から形成されている場合には、各部分の接続部が角部を形成しないので、角部による拡散光の輝度ムラが抑制され得ることになる。
【００４２】
このようにして、本発明によれば、複数個の光源から導光部材の一側の端面に入射する光を、導光部材の上方または下方の光出射面または反対側の面に形成された拡散ドットにより拡散して反射することにより、導光部材の光出射面全体からほぼ均一な光が照射されることになる。
そして、上記拡散ドットが、個々の光源に向かってそれぞれ延びる線に対して実質的に垂直な方向に延び、互いに光学特性に影響を与えないように形成された部分を有していることにより、各光源からの光が、それぞれ各拡散ドットに対して効率良く入射し、拡散されることになるので、光の利用効率が向上すると共に、拡散効率が上昇して、光出射面から出射する光がより均一になり、ムラのない面発光が得られることになる。
【００４３】
【発明の実施の形態】
以下、この発明の好適な実施形態を図１乃至図７を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００４４】
図１は、本発明による導光部材を備えた面光源装置の一実施形態の構成を示している。
図１において、面光源装置１０は、バック照明用の光源装置であって、導光部材１１と、反射部材１２と、複数個（図示の場合、３個）の光源１３と、から構成されている。
【００４５】
導光部材１１は、透光性材料により構成されており、図８に示した従来の面光源装置１における導光部材２と同様に、所定の厚さで、扁平な直方体状に形成されている。
さらに、導光部材１１は、その一側の端面１１ａが光源からの光が入射する光入射面として構成されていると共に、その上面または下面（図示の場合、下面）に、図２に示すように、光を拡散する拡散ドット１４が例えば印刷，エッチング等により形成されている。
ここで、上記拡散ドット１４は、導光部材１１の下面において、導光部材１１の光源側の端面１１ａから反対側の端面１１ｂに向かって、徐々に密度が高くなるように、ランダムに配置されている。
【００４６】
上記反射部材１２は、上記導光部材１１の下面全体に対向して配置されていると共に、導光部材１１の一側の端面１１ａから後述する光源１３を越えて、その下側に延び、さらに光源１３の反対側にて上方に立ち上がって光源１３を包囲するように形成されており、その内面が反射面として形成されている。
これにより、導光部材１１の下面から下方に出射した光が、反射部材１２により反射されて、再び導光部材１１内に戻ると共に、光源１３から導光部材１１とは反対側に出射した光が、反射部材１２の立上り部１２ａにより反射されて、導光部材１１の一側の端面１１ａから入射するようになっている。
【００４７】
上記各光源１３は、例えばＬＥＤ等の点光源から構成されており、上記導光部材１１の一側の端面１１ａに沿って対向するように所定間隔に並んで分散配置されている。
【００４８】
以上の構成は、図８に示した従来の面光源装置１とほぼ同様の構成であるが、本発明実施形態による面光源装置１０においては、以下の点で異なる構成になっている。
即ち、面光源装置１０においては、上記導光部材１２の上面または下面に形成された各拡散ドット１４が、個々の光源１３に対してそれぞれ最適な拡散面を備えるように、より詳細には図３及び図４に示すように、三つの光源１３ａ，１３ｂ，１３ｃに対して、それぞれ実質的に垂直な方向、即ち横方向に延び、互いに光学的に影響を与えないように形成された部分１４ａ，１４ｂ，１４ｃを有している。
【００４９】
上記拡散ドット１４の第一の部分１４ａは第一の光源１３ａに対応しており、第二の部分１４ｂは第二の光源１３ｂに対応すると共に、第三の部分１４ｃは第三の光源１３ｃに対応している。
そして、上記各部分１４ａ，１４ｂ，１４ｃは、実際には細長い長方形に形成されているが、図４においては、それぞれ線分Ｏ１  Ｏ２  ，Ｏ２  Ｏ３  ，Ｏ３  Ｏ４  により図式化されている。
【００５０】
ここで、上記拡散ドット１４の中心座標、即ち中央の部分１４ｂの中心座標を（Ｘｇ  ，Ｙｇ  ）とし、各光源１３ａ，１３ｂ，１３ｃの位置を（Ｌｘ０  ，Ｌｙ０），（Ｌｘ１  ，Ｌｙ１  ），（Ｌｘ２  ，Ｌｙ２  ）とし、さらに上記中心座標に対する各光源１３ａ，１３ｂ，１３ｃの角度をそれぞれα０  ，α１  ，α２  とすると、上記中央の部分１４ｂ（線分Ｏ２  Ｏ３  ）の両端の点Ｏ２  ，Ｏ３  の座標は、部分１４ｂの長さをｌｅｎｇｔｈとして、
（数式１）
（数式２）
で与えられ、さらに点Ｏ２  ，Ｏ３  の座標から、拡散ドット１４の両端の点即ち点Ｏ１  ，Ｏ４  の座標は、各部分１４ａ，１４ｃの長さをぞれぞれｌｅｎｇｔｈ１  ，ｌｅｎｇｔｈ２  として、
（数式３）
（数式４）
で与えられることになる。
そして、このような構成の拡散ドット１４が、導光部材１１の下面全体に亘って、前述したように導光部材１１の一側１１ａから他側１１ｂに向かって密度が高くなるようにランダムに配置されている。
【００５１】
図５及び図６は、このような拡散ドット１４の配置状態をシミュレーションした結果を示している。
図５（Ａ）における導光部材１１の一側１１ａの片隅の領域Ｒ１と、導光部材１１のｘ方向に関して左側及び中央にて、ｙ方向に関して一側付近，中央付近及び他側付近の各領域Ｒ２乃至Ｒ７について、前述した数式（１）乃至（４）に基づいて各拡散ドット１４の配置のシミュレーションにより、領域Ｒ１については、部５（Ｂ）に示すように、また他の領域Ｒ２乃至Ｒ７については、それぞれ図６（Ａ）乃至（Ｆ）に示すような配置が得られた。
【００５２】
本発明実施形態による面光源装置１０は、以上のように構成されており、光源１３の各点光源１３ａ，１３ｂ，１３ｃからそれぞれ出射した光は、導光部材１１の一側の端面１１ａから導光部材１１内に入射する。
そして、導光部材１１内に入射した光は、導光部材１１の内部に沿って他側１１ｂに向かって進む。その際、光の一部が、導光部材１１の下面に形成された拡散ドット１４に入射し、拡散されると共に、導光部材１１の下方の反射部材１３により反射され、再び導光部材１１内に入射した後、導光部材１１の上面から上方に向かって、出射する。
【００５３】
このようにして、導光部材１１の上面から上方に向かって出射する光は、拡散ドット１４により拡散して反射されることにより、全体として均一に上方に向かって進むことになり、導光部材１１の上方に配置された面状の被照明物（図示せず）を照射する。これにより、被照明物の表面全体がほぼ均一な明るさで照明されることになる。
【００５４】
この場合、各拡散ドット１４は、それぞれ第一の点光源１３ａ，第二の点光源１３ｂ及び第三の点光源１３ｃに対してほぼ垂直な部分１４ａ，１４ｂ，１４ｃを有していることから、各点光源１３ａ，１３ｂ，１３ｃからの光が効率良く入射して拡散されることになり、光の利用効率及び拡散効率が向上するので、導光部材１１の上面全体から均一な光が照射されることになる。
また、各拡散ドット１４がランダムに配置されていることにより、被照明物としての液晶表示装置やさらに光学的作用を付与するためのプリズムシートが導光部材１１の光出射面に対向してが配置される場合に、これらと干渉するようなことはない。
【００５５】
図７は、上述した面光源装置１０における拡散ドット１４の変形例を示している。
まず、図７（Ａ）においては、拡散ドット１４は、中央の部分１４ｂが、幅方向に関して膨らんで、紡錘形状に形成されている。
また、図７（Ｂ）においては、拡散ドット１４は、各部分１４ａ，１４ｂ及び１４ｃの長さ及び幅が互いに異なるように形成されている。
さらに、図７（Ｃ）においては、拡散ドット１４は、中央の部分１４ｂが、光源１３ｂに向かって凹状の円弧状に形成されている。
【００５６】
図７（Ｄ）においては、拡散ドット１４は、図４に示した場合と比較して、各部１４ａ，１４ｂ及び１４ｃの配置順が逆になっている。
図７（Ｅ）においては、拡散ドット１４は、各部分１４ａ，１４ｂ，１４ｃが、互いにその一側が同じ位置に重なって配置されている。
最後に、図７（Ｆ）においては、拡散ドット１４は、各部分１４ａ，１４ｂ，１４ｃが、互いに連続的なスプライン曲線により形成されている。
【００５７】
このようにして、各拡散ドット１４は、互いに光学的な影響を与えない限り、上記線分Ｏ１  Ｏ２  ，Ｏ２  Ｏ３  ，Ｏ３  Ｏ４  を基礎として、微小なずれが許されることにより、種々に変形され得る。
特に、最後に示した図７（Ｆ）のスプライン曲線により連続的に形成された各部分１４ａ，１４ｂ及び１４ｃから成る拡散ドット１４の場合には、拡散ドット１４を構成する各部１４ａ，１４ｂ，１４ｃが不連続な角部を構成しないので、角部による拡散光の輝度ムラの発生が抑制され得ることになる。
【００５８】
上述した実施形態においては、上記導光部材１１は、所定の厚さの扁平な直方体状に形成されているが、これに限らず、一側の端面１１ａから反対側に向かって徐々に薄くなるように、断面が楔形状に形成されていてもよい。
また、上述した実施形態においては、導光部材１１の下面に拡散ドット１４が形成されているが、これに限らず、導光部材１１の上面に、あるいは下面及び上面に拡散ドット１４が形成されていてもよい。
【００５９】
さらに、上述した実施形態においては、光源１３として点光源が使用されているが、これに限らず、導光部材１１の一側の端面１１ａに対して、発光部がその長手方向に分散配置された断続的な光源や、長手方向に関して短い光源であってもよいことは明らかである。
【００６０】
上述した実施形態においては、導光部材１１の下方に反射部材１２が配置されているが、これに限らず、反射部材１２は省略されてもよい。
さらに、上述した実施形態においては、面光源装置１０は、バック照明用の光源装置として構成されているが、フロント照明用の光源装置として構成されていてもよい。
【００６１】
【発明の効果】
以上述べたように、本発明によれば、拡散ドットが一側から他側に向かって密度が高くなるように配置されていると共に、各拡散ドットが、それぞれ個々の光源に対して横向きに拡る部分を有していることから、各光源からの光が、それぞれ各拡散ドットに対して効率良く入射し、拡散されることになるので、光の利用効率が向上すると共に、拡散効率が上昇して、光出射面から出射する光がより均一になり、ムラのない面発光が得られることになる。
このようにして、本発明によれば、簡単な構成により、複数の光源に対して、モアレ等が発生することなく、より均一な面発光を得ることができるようにした面光源装置と、この面光源装置に使用される導光部材が提供され得る。
【図面の簡単な説明】
【図１】本発明による面光源装置の一実施形態の構成を示す（Ａ）平面図及び（Ｂ）側面図である。
【図２】図１の面光源装置における拡散ドットの配置を示す概略平面図である。
【図３】図１の面光源装置における一つの拡散ドットの位置座標を示す平面図である。
【図４】図３に示した拡散ドットの詳細を示す拡大平面図である。
【図５】図３及び図４に示した拡散ドットのシミュレーションにおける（Ａ）領域Ｒ１乃至Ｒ７を示す概略平面図及び（Ｂ）領域Ｒ１における拡散ドットのシミュレーションによる配置を示す拡大平面図である。
【図６】図５（Ａ）の各領域Ｒ２乃至Ｒ７における拡散ドットのシミュレーションによる配置を示す拡大平面図である。
【図７】図４に示した拡散ドットの変形例を示す拡大平面図である。
【図８】従来の面光源装置の一例の構成を示す概略断面図である。
【符号の説明】
１０    面光源装置
１１    導光部材
１１ａ  一側の端面
１１ｂ  他側の端面
１２    反射部材
１３，１３ａ，１３ｂ，１３ｃ    光源
１４    拡散ドット
１４ａ，１４ｂ，１４ｃ  部分
【図１】
2004363059.tif 000003
【図２】
2004363059.tif 000004
【図３】
2004363059.tif 000005
【図４】
2004363059.tif 000006
【図５】
2004363059.tif 000007
【図６】
2004363059.tif 000008
【図７】
2004363059.tif 000009
【図８】
2004363059.tif 000010
2004363059.tif 000011